(57)【特許請求の範囲】
【請求項１】
入出庫用の開口部（２）に設けられる機械式駐車装置用の安全装置であって、
該開口部の左右両側に設けられ床面（４）付近から開口部上端付近まで垂直方向に平行に延びた一対のガイドレール（８）と、
左右両側のガイドレールに沿って上下方向に滑らかに移動可能な水平方向に対向する一対の下段ベース部（１２ａ）および一対の上段ベース部（１２ｂ）と、
該下段ベース部間に掛け渡された下段昇降部材（１４ａ）および該上段ベース部間に掛け渡された上段昇降部材（１４ｂ）と、
前記下段ベース部および前記上段ベース部を水平方向に対向した状態を保ちながら上下方向に移動させ、機械式駐車装置の始動直前には床面（４）から各々所定の高さ（ｈ，Ｈ）まで下降させ、下段昇降部材および上段昇降部材の間に一定の間隔（Ｌ）を形成した状態で前記開口部を遮断し、かつ、機械式駐車装置が停止した際にはこれを上昇させて下段昇降部材および上段昇降部材が近接するように開口部上端付近に集約して開口部を開放する遮断機構を備え、
前記遮断機構は、モータ（２４）および該モータと連結する巻き取りドラム（２６）からなる巻き取り装置（２８）と、
一端を該巻き取りドラムと結合し前記上段ベース部（１２ｂ）と接触しないようガイドレール（８）中を通って他端を下段ベース部（１２ａ）と結合とした紐体（３２）と、
前記上段ベース部から水平方向に突出した突起部（３４）と、前記ガイドレールの所定の高さ（Ｈ）に設けられ該突起部と係合することにより上段ベース部のみの下降を妨げるストッパー部（３６）とからなる、ことを特徴とする機械式駐車装置用の安全装置。
【請求項２】
前記下段昇降部材（１２ａ）と前記上段昇降部材（１２ｂ）とは、一定の長さ（Ｌ）を有する柔軟な布体（３８）によって連結されている、ことを特徴とする請求項１に記載の機械式駐車装置用の安全装置。
【発明の詳細な説明】
【０００１】
【産業上の利用分野】
本発明は、機械式駐車装置用の安全装置に関し、より詳細にはタワーパーキング等の機械式駐車装置の車両入出庫用の開口部に設ける子供の進入防止のための安全装置に関するものである。
【０００２】
【従来の技術】
従来のタワーパーキング装置等の機械式駐車装置では、保安上の理由等から車両の出入りを行う開口部に巻き取り式のシャッターを設け、駐車場の営業開始時にそのシャッターを巻き上げて開口部を開放し、営業終了時にそのシャッターを下ろして開口部を閉鎖していた。したがって駐車場の営業中には開口部は常に開口した状態にあった。
【０００３】
そこで機械式駐車装置の運行上の安全を確保すべく、すなわち開口部から子供が機械式駐車装置内部に進入してしまうなどの事故を未然に防止すべく、車両を載置したパレットの移動は操作員によって行われていた。
【０００４】
操作員は付近に子供などがおらず、進入の危険性がないことを目視によって確認した後に操作パネルを手動操作して車両の入出庫を行っているものの、操作員がちょっと目を離した隙に子供が開口部から機械式駐車装置内部に進入するなどの事故が発生していた。
【０００５】
かかる進入事故を防止するためには機械式駐車装置を運転しようとする度にシャッターを下ろして開口部を閉鎖する方法もあるが、巻き取り式シャッターはその機構上その動作が緩慢であり、迅速な入出庫を行う上で問題が多かった。
【０００６】
そこで機械式駐車装置の運行上の安全および迅速な入出庫を確保すべくパネル式の開閉ドアを開口部に設け、機械式駐車装置を運転する前にはこれを閉じて開口部を閉鎖し、入出庫の際にはこれを開けて、開口部を開放するパネルドア式安全装置などが用いられてきた。
【０００７】
【発明が解決しようとする課題】
パネル式の開閉扉はその開閉が迅速かつ円滑であり入出庫も迅速に行うことができるものの、その設置には多くの費用を要し、またその構造上、機械式駐車装置の建設後にいわゆる後付けをすることが困難であるといった問題があった。さらに、開閉扉は主に２枚のパネルから形成され、これがガイドレールに沿って高さ方向または左右方向に移動して壁面に設けられた戸袋に格納され開口部を開放するため、少なくともパネル一枚分に相当する格納用のスペースが必要となる。したがって高さ方向または左右方向の壁面の幅に制限がある場合にはこれを取り付けることができないといった問題もあった。
【０００８】
これに対し、巻き取り式のシャッターはいわゆる後付けは比較的容易であり、また、その格納に多くのスペースを要しないものの前述のようにその動作が緩慢であるという問題があった。
【０００９】
本発明はかかる問題を解決すべくなされたものである。すなわち発明は、設置費用が低廉であり、その後付けも容易であるとともに、迅速に開口部の遮断・開放ができ、また、格納スペースもほとんど必要とせず壁面の幅に制限がある場合にもその取り付けが可能な機械式駐車装置用の安全装置を提供することを目的とする。
【００１７】
【課題を解決するための手段】
本発明は、入出庫用の開口部（２）に設けられる機械式駐車装置用の安全装置であって、該開口部の左右両側に設けられ床面（４）付近から開口部上端付近まで垂直方向に平行に延びた一対のガイドレール（８）と、左右両側のガイドレールに沿って上下方向に滑らかに移動可能な水平方向に対向する一対の下段ベース部（１２ａ）および一対の上段ベース部（１２ｂ）と、該下段ベース部間に掛け渡された下段昇降部材（１４ａ）および該上段ベース部間に掛け渡された上段昇降部材（１４ｂ）と、前記下段ベース部および前記上段ベース部を水平方向に対向した状態を保ちながら上下方向に移動させ、機械式駐車装置の始動直前には床面（４）から各々所定の高さ（ｈ，Ｈ）まで下降させ、下段昇降部材および上段昇降部材の間に一定の間隔（Ｌ）を形成した状態で前記開口部を遮断し、かつ、機械式駐車装置が停止した際にはこれを上昇させて下段昇降部材および上段昇降部材が近接するように開口部上端付近に集約して開口部を開放する遮断機構を備える、ことを特徴とする機械式駐車装置用の安全装置を提供する。
【００１８】
本発明の機械式駐車装置用の安全装置は、入出庫用の開口部の左右両側に平行に設けたガイドレールに沿って下段ベース部および上段ベース部を上下方向に滑らかに移動させ、下段ベース部間に掛け渡された下段昇降部材および上段ベース部間に掛け渡された上段昇降部材を所定の高さまで下降させ開口部の一部を遮断する。
【００１９】
ここで下段昇降部材および上段昇降部材は、一定の間隔を形成した状態で前記開口部を遮断するため、二本の昇降部材が子供の駐車場内部への進入を有効に阻止することができる。
【００２０】
本発明の機械式駐車装置用の安全装置の場合、前記遮断機構は、モータ（２４）および該モータと連結する巻き取りドラム（２６）からなる巻き取り装置（２８）と、一端を該巻き取りドラムと結合し前記上段ベース部（１２ｂ）と接触しないようガイドレール（８）中を通って他端を下段ベース部（１２ａ）と結合とした紐体（３２）と、前記上段ベース部から水平方向に突出した突起部（３４）と、前記ガイドレールの所定の高さ（Ｈ）に設けられ該突起部と係合することにより上段ベース部のみの下降を妨げるストッパー部（３６）とからなる、ことが好ましい。
【００２１】
下段ベース部と上段ベース部のそれぞれに巻き取り装置を備え、各々の昇降を独立して行わせることもできるが、かかる機構は装置が複雑化等し適当ではない。そこで、下段ベース部のみを紐体によって巻き取り装置と結合し、上段ベース部を下段ベース部によって下方から支えることにより昇降させる。ここで、前記ガイドレールの所定の高さ（Ｈ）に上段ベース部のみの下降を妨げるストッパー部を備えてやることによって、ストッパー部より上方においては上段ベース部は下段ベース部に支えられた状態で昇降し、ストッパー部より下方においては上段ベース部はストッパー部に支持され、下段ベース部のみが昇降する。なお、開口部の開放時においては、下段ベース部および上段ベース部等は開口部上端付近に集約して格納されるため、格納用のスペースをほとんど要せず、開口部上部の幅に制限がある場合にもこれを取り付けることができる。
【００２２】
さらに、前記下段昇降部材（１２ａ）と前記上段昇降部材（１２ｂ）とは、一定の長さ（Ｌ）を有する柔軟な布体（３８）によって連結されている、ことが好ましい。
【００２３】
下段昇降部材と上段昇降部材とを柔軟な布体よって連結し、床面から各々所定の高さまで下降して停止した下段昇降部材および上段昇降部材の間を塞ぐことによって、より一層子供の駐車場内部への進入を有効に阻止することができる。なお下段昇降部材および上段昇降部材の格納時には、この布体は折り畳まれるため下段昇降部材および上段昇降部材が近接して集約することを妨げない。
【００２４】
【発明の実施の形態】
以下に本発明の好ましい実施形態を図面を参照して説明する。なお、各図において共通する部分には同一の符号を付し、重複した説明を省略する。
【００２５】
図１は、本発明に関連する機械式駐車装置用の安全装置の実施形態を示す簡略図である。
【００２６】
図１に示す機械式駐車装置用の安全装置１０は、従来の機械式駐車場の車両入出庫用の開口部２に備え付けられ、機械式駐車装置が始動する直前には開口部２を遮断し、機械式駐車装置が停止した際には開口部２を開放する。
【００２７】
安全装置の操作は操作員の手動操作により行ってもよいし、機械式駐車装置の始動と連動させて自動的に行ってもよい。
【００２８】
開口部の奥側には車両を載せ置くパレット４２が備えられ、このパレット４２を図示しないコンベア装置によって移動させ隙間なく車両を並べ置くことで、少ないスペースに多くの車両を駐車することが可能となる。なお、図１の４４は車両を載せて回転するためのターンテーブルである。
【００２９】
開口部２の左右両側壁には、子供がその下をくぐりまたはその上を飛び越え難い高さｈ（６０ｃｍ程度）の位置から開口部上端付近まで垂直方向に平行に延びた一対のガイドレール８が備えられている。ここでガイドレール８は、図１のＸ部拡大図である図２に示すようにその一部を軸方向に開口する横断面を矩形とする金属管からなる。
【００３０】
左右両側のガイドレール８には、その内部の通路に沿って移動するベース部１２が備えられている。このベース部１２ａは図２に示すように４つの車輪４８と、この車輪４８を車輪軸５２によって片持ちで固定する台座５４とからなる。車輪４８はガイドレール８の内周面と隙間なく接し、車輪が回転することによって台座はガイドレールに沿って上下方向に滑らかに移動することができる。また、左右両側の対向するベース部１２は同じ高さで上下移動する。
【００３１】
対向するベース部１２ａの台座５４には昇降部材１４が水平に掛け渡されて取り付けられており、ベース部１２の昇降に伴って昇降部材１４ａも昇降し、開口部２の遮断および開放を行う。
【００３２】
昇降部材１４はプラスティック、グラスファイバー、カーボンファイバーまたは金属などの棒状体であり、この昇降部材１４には軽量な薄板５６が釣り下げられている。この薄板５６は昇降部材１４ａ一緒になって昇降し子供の注意を喚起する。また、仮に昇降部材１４ａの下方に子供がいる状態でこれを下降させてしまった場合でも、まず薄板５６が子供に接触するためケガなどを負わせる危険性が少なくなる。
【００３３】
ベース部１２の昇降は、動力源となるモータ２４およびこれと連結する巻き取りドラム２６からなる巻き取り装置２８を用い、一端を巻き取りドラム２６と結合した紐体３２をベース部１２の上端に取り付けることによって行う。すなわちモータ２４を駆動し、巻き取りドラム２６を正回転させ紐体３２を巻き上げることによってベース部１２を上昇させ、ドラムを逆回転させ紐体３２を送り出すことによって下段ベース部１２ａを自重によって下降させる。なお、図１の５８は滑車である。また、ガイドレール８の下端付近および上端付近にはベース部１２を感知してモータ２４を停止させるスイッチが設けられ、ベース部の昇降を制御している（図示せず）。
【００３４】
本実施形態の機械式駐車装置用の安全装置１０では、モータを使用して比較的軽量なベース部１２等を昇降させるため、迅速に開口部を遮断・開放することが可能となる。
【００３５】
図３および図４に本発明の機械式駐車装置用の安全装置の実施形態を示す。
【００３６】
この機械式駐車装置用の安全装置２０は、慨すれば第一の実施形態の機械式駐車装置用の安全装置に上下方向に滑らかに移動可能な水平方向に対向する一対の上段ベース部１２ｂと、これに掛け渡された上段昇降部材１４ｂを追加したものである。下段ベース部１２ａおよび上段ベース部１２ｂは、機械式駐車装置の始動直前には床面４から各々所定の高さｈ’（３０ｃｍ程度），Ｈ（６０ｃｍ程度）まで下降して停止し、下段昇降部材および上段昇降部材の間に一定の間隔（Ｌ＝３０ｃｍ程度）を形成した状態で開口部２を遮断する。下段昇降部材１４ａおよび上段昇降部材１４ｂの二つの昇降部材により開口部２を遮断することでより効果的に子供の進入を防止することが可能となる。
【００３７】
ここで、下段ベース部１２ａおよび上段ベース部１２ｂの上下動は、第一の実施形態と同様に、巻き取り装置２８と紐体３２を用いる他に、上段ベース部に設けた突起部３４およびガイドレールの所定の高さ（Ｈ）に設けたストッパー部３６を用いた遮断機構によって行う。
【００３８】
図４に示すように、一端を巻き取りドラム２６と結合した紐体３２は、ガイドレール８中を通って、上段ベース部１２ｂと接触しないようにその脇を通過してその他端を下段ベース部１２ａと結合している。また、上段ベース部１２ｂの上端には突起部６２が設けられており、この突起部がガイドレール８の所定の高さＨ（６０ｃｍ程度）に設けられたストッパー部３６と係合し、上段ベース部１２ｂがそれ以上下降するのを妨げる。なお下段ベース部１２ａは、ストッパー部３６の下方においても高さｈ’までは自在に昇降することができる。
【００３９】
遮断された開口部２の開放は、巻き取り装置２８を用いて紐体３２を巻き上げて下段ベース部１２ａを引き上げて行う。すなわち、紐体３２が巻き上げられることによってまず下段ベース部１２ａのみが高さｈ’まで上昇し、その後上段ベース部１２ｂは下段ベース部１２ａにより下方から支えられて、両者が接した状態で一体となって開口部上端まで上昇する。開口部上端では下段昇降部材１４ａおよび上段昇降部材１４ｂが近接して格納されるため、開口部上端付近にその格納スペースはほとんど必要とされない。
【００４０】
また、下段昇降部材１２ａと上段昇降部材１２ｂとは、一定の長さＬ（３０ｃｍ程度）の柔軟な布体３８によって連結されている。
【００４１】
開口部の遮断時においては、下段昇降部材１２ａと上段昇降部材１２ｂは床面４から各々所定の高さｈ’（３０ｃｍ程度），Ｈ（６０ｃｍ程度）まで下降して停止する。したがって下段昇降部材１２ａと上段昇降部材１２ｂとの間には一定の間隔Ｌ（３０ｃｍ程度）が形成される。この間隔を下段昇降部材１２ａと上段昇降部材１２ｂとの間に掛け渡した布体３８によって閉鎖することで子供の進入事故を十分に防止することができる。
【００４２】
上記の実施例においては二対のベース部（１２ａ，１２ｂ）によって二本の昇降部材（１４ａ，１４ｂ）を昇降させて開口部２の遮断・開放を行っているが、これを３以上とすることも可能である。また、上記布体３８の代わりにＺ状に折り畳むことができる板状体を使用することもできる。
【００４３】
【発明の効果】
本発明によれば、費用が低廉であり、また、その後付けも容易に可能であるとともに、その動作が迅速で入出庫の際の時間的障害とならず、さらにその格納スペースもほとんど必要とせず開口部上端と天井面との間隔に制限がある場合にもその取り付けが可能な子供の進入事故を未然に防止する機械式駐車装置用の安全装置を提供することができる。
【図面の簡単な説明】
【図１】 本発明に関連する機械式駐車装置用の安全装置の実施形態を示す簡略図である。
【図２】図１のＸ部拡大図である。
【図３】本発明の機械式駐車装置用の安全装置の実施形態を示す簡略図である。
【図４】図３の部分拡大図である。
【図１】
0004748556.tif 000002
【図２】
0004748556.tif 000003
【図３】
0004748556.tif 000004
【図４】
0004748556.tif 000005